(57)【要約】【課題】媒体挿入をトリガーとした自動ダビングにおいて、ダビング対象のコンテンツデータのデータ量が一枚の記録媒体の記録容量内に収まりきらない場合は、コンテンツデータの全体または一部分を再エンコードして、高画質で短時間に自動的にダビングする。【解決手段】ＤＶＤ装置１３０にＤＶＤ１３１を挿入すると、ＨＤ１２１に記録されているコンテンツが読み出されて直接ＤＶＤ装置１３０に供給され、ＤＶＤ１３１に自動的に再エンコードなしにダビングされる。ダビング終了後は自動的にＤＶＤ１３１がファイナライズされる。これにより、連続したドラマを一話から複数枚のＤＶＤにダビングし、見終わって再びディスクを挿入するとＤＶＤ−ＲＷディスクの場合は続きが自動的にダビングされ、ＤＶＤ−Ｒディスクの場合は簡単な操作をすることによって、未ダビングのコンテンツである続きをダビングすることができる。【選択図】図１
2009060399.tif 000002
【特許請求の範囲】
【請求項１】
第１の記録媒体に対して任意のコンテンツの第１の符号化データの記録又は再生を行う第１の記録再生部と、
挿入された可搬性のある第２の記録媒体に対して任意のコンテンツの第２の符号化データの記録又は再生を行う第２の記録再生部と、
入力データを所定の符号化方式で符号化して前記第１又は第２の符号化データを生成するエンコーダと、入力された前記第１又は第２の符号化データを復号して第１又は第２の復号信号を生成するデコーダと、
前記第１及び第２の記録再生部から再生されて出力された前記第１の符号化データ及び前記第２の符号化データの一方を選択して前記デコーダに供給すると共に、前記エンコーダから出力された符号化データを前記第１及び第２の記録再生部の一方に前記第１又は第２の符号化データとして供給するスイッチ手段と、
定期的に複数回に亘って放送される連続番組のコンテンツの記録を予約する予約情報を記憶する記憶手段と、
前記連続番組のコンテンツを受信して前記第１の記録再生部により前記第１の記録媒体に前記第１の符号化データとして記録させる記録手段と、
前記第２の記録再生部に前記第２の記録媒体を挿入した時に、挿入された該第２の記録媒体に前記予約情報が示す連続番組のコンテンツが記録されているか否かを判定し、該連続番組のコンテンツが記録されているときは、その記録連続番組の次の順番以降の該連続番組のコンテンツの記録を決定する記録コンテンツ決定手段と、
前記記録コンテンツ決定手段により記録するコンテンツが決定されたときは、決定された順番以降の連続番組のコンテンツの前記第１の符号化データを、又は前記記録コンテンツ決定手段により記録するコンテンツが決定できないときは所望のコンテンツの前記第１の符号化データを前記第１の記録再生部により前記第１の記録媒体から再生させ、その再生された前記第１の符号化データを直接前記第２の記録再生部に供給して、挿入された前記第２の記録媒体に自動的にダビングさせる複写記録手段と
を有することを特徴とする記録再生装置。
【請求項２】
前記複写記録手段により前記第２の記録媒体への前記第１の符号化データのダビングが行われた直後又は次回のダビング直前に、前記第１の記録媒体に記録されているダビング元の前記第１の符号化データを、該第１の記録媒体から削除する削除手段を更に有することを特徴とする請求項１記載の記録再生装置。
【請求項３】
第１の記録媒体に対して任意のコンテンツの第１の符号化データの記録又は再生を行う第１の記録再生部と、
挿入された可搬性のある第２の記録媒体に対して任意のコンテンツの第２の符号化データの記録又は再生を行う第２の記録再生部と、
入力データを所定の符号化方式で符号化して前記第１又は第２の符号化データを生成するエンコーダと、
入力された前記第１又は第２の符号化データを復号して第１又は第２の復号信号を生成するデコーダと、
前記第１及び第２の記録再生部から再生されて出力された前記第１の符号化データ及び前記第２の符号化データの一方を選択して前記デコーダに供給すると共に、前記エンコーダから出力された符号化データを前記第１及び第２の記録再生部の一方に前記第１又は第２の符号化データとして供給するスイッチ手段と、
前記第１の記録媒体に記録されている、ダビング対象の所望のコンテンツの前記第１の符号化データのデータ量を計測する第１の計測手段と、
前記第２の記録媒体のダビング可能記録容量を計測する第２の計測手段と、
前記第２の記録再生部に前記第２の記録媒体を挿入した時に、前記第１の計測手段で計測された前記データ量と前記第２の計測手段で計測された前記ダビング可能記録容量とを比較し、前記データ量が前記ダビング可能記録容量よりも大きいときに、前記第１の記録再生部により前記第１の記録媒体から再生された前記ダビング対象の所望のコンテンツの前記第１の符号化データのデータ量を前記ダビング可能記録容量以下となるように変換するデータ量変換手段と、
前記データ量変換手段により変換されたデータ量の前記ダビング対象の所望のコンテンツの第１の符号化データを前記第２の記録再生部に供給して、挿入された前記第２の記録媒体に自動的にダビングさせる複写記録手段と
を有することを特徴とする記録再生装置。
【請求項４】
前記データ量変換手段は、前記第１の記録再生部により前記第１の記録媒体から再生された前記ダビング対象の所望のコンテンツの前記第１の符号化データを、再エンコード対象データ領域と再エンコード対象外データ領域とに分け、前記再エンコード対象データ領域の符号化データ部分を前記デコーダにより復号した後前記エンコーダに供給して再エンコードさせる手段であり、
前記複写記録手段は、前記第１の記録再生部により前記第１の記録媒体から再生された前記ダビング対象の所望のコンテンツの前記第１の符号化データのうち、前記再エンコード対象外データ領域の符号化データ部分を前記第２の記録再生部に直接供給して、挿入された前記第２の記録媒体に記録すると共に、再エンコード済みの前記再エンコード対象データ領域の符号化データ部分を前記第２の記録再生部に供給して、挿入された前記第２の記録媒体に記録する手段であることを特徴とする請求項３記載の記録再生装置。
【発明の詳細な説明】
【技術分野】
【０００１】
本発明は記録再生装置に係り、特にハードディスク（以下、ＨＤＤを称する）やＤＶＤ(Digital Versatile Disk)等の記録媒体に、放送番組等の情報を記録し、記録媒体に記録された情報を再生する記録再生装置に関する。
【背景技術】
【０００２】
ＨＤＤ／ＤＶＤレコーダはそれぞれ容量が許す限り放送番組（コンテンツ）等の情報を記録することができる。大容量ＨＤＤの場合は、ＤＶＤの何倍も記録ができるため、多くのコンテンツを記録することができる。しかし、その反面、大容量ＨＤＤの場合は、記録したコンテンツ数が大量になってしまい、それらを見る時間がないということがある。
【０００３】
これを解消する手段として、ＨＤＤに記録したコンテンツをＤＶＤにコピーして、ポータブルＤＶＤプレイヤやノートパソコンで移動中や出先で上記のＤＶＤを再生し、ＨＤＤに録りためたコンテンツを消化していく方法がある。
【０００４】
しかし、見る暇もなければ、ダビング作業をしている暇もない。そんな人のために、連続して記録したドラマなどをＤＶＤへ簡単にダビングする方法が提案されている（例えば、特許文献１、２参照）。図１３は特許文献１及び２に記載されたＨＤＤに記録したコンテンツをＤＶＤにダビングするときのユーザ操作のフローチャートを示す。
【０００５】
装置にＤＶＤディスクを挿入し（ステップＳ１０１）、ＨＤＤに記録されているコンテンツの中から予め予約時に設定したダビング予定の一覧から項目を選択して（ステップＳ１０２）、ダビングを開始する（ステップＳ１０３）。ダビング終了後はファイナライズ（ステップＳ１０４）を行った後に、ＤＶＤディスクを装置から外部に排出する（ステップＳ１０５）。
【０００６】
また、ＤＶＤに記録したコンテンツを再生して一度見てしまえば、ＤＶＤにそのコンテンツを保存しておく必要が無い場合には、ＤＶＤがＤＶＤ−ＲＷなどの書き換え可能ディスクにＨＤＤからのダビングを行えばよい。このため、ドラマの続きなど関連した次のダビング予定コンテンツを再び同じＤＶＤ−ＲＷなどの書き換え可能ディスクに書き込むためには、ディスク記録容量を確保するため、既に書き換え可能ディスクに記録されているコンテンツを消去する必要がある。
【０００７】
図１４は連続したドラマ「ドラマ１〜２話」をＤＶＤ−ＲＷディスクにダビングし、それを視聴後に新たに「ドラマ３〜４話」を同じＤＶＤ−ＲＷディスクにダビングする作業を、特許文献１と２記載の方法により行う場合のフローチャートを示す。
【０００８】
まず、装置内にＤＶＤ−ＲＷディスクを挿入する（ステップＳ２０１）。続いて、挿入されたＤＶＤ−ＲＷディスクが既に記録されているディスクかどうか判断し（ステップＳ２０２）、記録されている場合はフォーマットを行う（ステップＳ２０３）。フォーマット後に、記録済みのディスクでない場合は直接に、ダビング予約されている一覧から挿入されたＤＶＤ−ＲＷディスクに所定のビットレートでダビング可能な項目、例えば「ドラマ１〜２話」を選択して（ステップＳ２０４）ダビングを行い（ステップＳ２０５）、終了後にファイナライズを行う（ステップＳ２０６）。
【０００９】
視聴が終わると、視聴を終えた記録済みのＤＶＤ−ＲＷディスクを一旦装置の外部に排出する。その後、再びドラマの続き「ドラマ３〜４話」のダビングを実行しようとする（ステップＳ２０７）。そのため、視聴を終えた記録済みのＤＶＤ−ＲＷディスクを挿入して（ステップＳ２０８）、記録容量を確保して書き込みを可能とするためにＤＶＤ−ＲＷディスクのフォーマットを行う（ステップＳ２０９）。フォーマットが終了して書き込み可能になったら、予め設定してあったダビング待ち一覧から記録済みのドラマの続きの「ドラマ３〜４話」を選択して（ステップＳ２１０）、ダビングを開始する（ステップＳ２１１）。ダビングが終了したらファイナライズを行い（ステップＳ２１２）、ディスクを取り出せる状態になる（ステップＳ２１３）。以降続きをダビングしたい場合にはステップＳ２０７〜ステップＳ２１３を繰り返す。
【００１０】
【特許文献１】特開２００５−３４７８２２号公報
【特許文献２】特開２００５−３４７８２５号公報
【発明の開示】
【発明が解決しようとする課題】
【００１１】
従来、コンテンツを記録済みのＤＶＤ−ＲＷディスクなどの書き換え可能な記録済みのディスクへダビングするためには、その記録済みのディスクをフォーマットしてから目的の番組を選択してダビングし、その後にファイナライズする作業が必要であり、また、「ドラマ１〜２話」が記録されたディスクならば、次は自動的に「ドラマ３〜４話」をダビングするような設定がなく、このような作業を自動で行うことが特許文献１と２では考慮されていなかった。
【００１２】
また、従来の記録方法を組み合わせた図１４のフローチャートに示す記録方法では、手数がかかるうえ、ユーザ自身がダビングに対しての情報を取得して判断する必要があり、確実なダビングをするのに時間がかかってしまう。
【００１３】
また、ＨＤＤに記録したコンテンツを書き換え可能ディスク（ＤＶＤ−ＲＷメディアなど）へ自動ダビングする際に、１つのコンテンツの容量が大きくそのままでは入りきらない場合、また複数のコンテンツを選択したがそのままでは１枚に収まらない場合には、特許文献１や２にはダビングすることができない。
【００１４】
更に、ＨＤＤに記録したコンテンツを書き換え可能ディスク（ＤＶＤ−ＲＷメディアなど）へ手動でダビングする場合は、ＨＤＤに記録したコンテンツを記録時よりも低ビットレートで再エコンードして記録サイズを小さくしてからダビング記録することが考えられるが、ダビングしようとするコンテンツの容量がダビング先の書き換え可能ディスクにぎりぎり入りきらない場合には、ダビングしようとするコンテンツ全体を再エンコードしなければならず、全体的に画質が低下したうえに時間がかかってしまうという問題もある。
【００１５】
本発明は以上の点に鑑みなされたもので、書き換え可能な記録媒体を装置に挿入しただけで、コンテンツのダビングを開始して、他のプレイヤで再生できる状態に自動的にダビングし得る記録再生装置を提供することを目的とする。
【００１６】
また、本発明の他の目的は、媒体挿入をトリガーとした自動ダビングにおいて、ダビング対象のコンテンツデータのデータ量が一枚の記録媒体の記録容量内に収まりきらない場合は、コンテンツデータの全体または一部分を再エンコードして、高画質で短時間に自動的にダビングし得る記録再生装置を提供することにある。
【課題を解決するための手段】
【００１７】
上記の目的を達成するため、本発明は第１の記録媒体に対して任意のコンテンツの第１の符号化データの記録又は再生を行う第１の記録再生部と、挿入された可搬性のある第２の記録媒体に対して任意のコンテンツの第２の符号化データの記録又は再生を行う第２の記録再生部と、入力データを所定の符号化方式で符号化して第１又は第２の符号化データを生成するエンコーダと、入力された第１又は第２の符号化データを復号して第１又は第２の復号信号を生成するデコーダと、第１及び第２の記録再生部から再生されて出力された第１の符号化データ及び第２の符号化データの一方を選択してデコーダに供給すると共に、エンコーダから出力された符号化データを第１及び第２の記録再生部の一方に第１又は第２の符号化データとして供給するスイッチ手段と、定期的に複数回に亘って放送される連続番組のコンテンツの記録を予約する予約情報を記憶する記憶手段と、連続番組のコンテンツを受信して第１の記録再生部により第１の記録媒体に第１の符号化データとして記録させる記録手段と、第２の記録再生部に第２の記録媒体を挿入した時に、挿入された第２の記録媒体に予約情報が示す連続番組のコンテンツが記録されているか否かを判定し、連続番組のコンテンツが記録されているときは、その記録連続番組の次の順番以降の連続番組のコンテンツの記録を決定する記録コンテンツ決定手段と、記録コンテンツ決定手段により記録するコンテンツが決定されたときは、決定された順番以降の連続番組のコンテンツの第１の符号化データを、又は記録コンテンツ決定手段により記録するコンテンツが決定できないときは所望のコンテンツの第１の符号化データを第１の記録再生部により第１の記録媒体から再生させ、その再生された第１の符号化データを直接第２の記録再生部に供給して、挿入された第２の記録媒体に自動的にダビングさせる複写記録手段とを有することを特徴とする。
【００１８】
この発明では、第２の記録再生部に可搬性のある第２の記録媒体を挿入するだけで、その挿入された第２の記録媒体に自動的に第１の符号化データを、再エンコードすることなく自動的にダビングすることができ、見終わって再び第２の記録媒体を第２の記録再生部に挿入すると続きのコンテンツを自動的にダビングすることができる。
【００１９】
また、上記の目的を達成するため、第２の発明は、複写記録手段により第２の記録媒体への所望のコンテンツの第１の符号化データのダビングが行われた直後又は次回のダビング直前に、第１の記録媒体に記録されているダビング元の所望のコンテンツの第１の符号化データを第１の記録媒体から削除する削除手段とを有することを特徴とする。
【００２０】
この発明では、第２の記録再生部に可搬性のある第２の記録媒体を挿入するだけで、その挿入された第２の記録媒体に自動的に第１の符号化データを、再エンコードすることなく自動的にダビングすることができ、ダビング後は第１の記録媒体の空き容量を確保できる。
【００２１】
また、上記の目的を達成するため、本発明は、第１の記録媒体に対して任意のコンテンツの第１の符号化データの記録又は再生を行う第１の記録再生部と、挿入された可搬性のある第２の記録媒体に対して任意のコンテンツの第２の符号化データの記録又は再生を行う第２の記録再生部と、入力データを所定の符号化方式で符号化して第１又は第２の符号化データを生成するエンコーダと、入力された第１又は第２の符号化データを復号して第１又は第２の復号信号を生成するデコーダと、第１及び第２の記録再生部から再生されて出力された第１の符号化データ及び第２の符号化データの一方を選択してデコーダに供給すると共に、エンコーダから出力された符号化データを第１及び第２の記録再生部の一方に第１又は第２の符号化データとして供給するスイッチ手段と、第１の記録媒体に記録されている、ダビング対象の所望のコンテンツの第１の符号化データのデータ量を計測する第１の計測手段と、第２の記録媒体のダビング可能記録容量を計測する第２の計測手段と、第２の記録再生部に第２の記録媒体を挿入した時に、第１の計測手段で計測されたデータ量と第２の計測手段で計測されたダビング可能記録容量とを比較し、データ量がダビング可能記録容量よりも大きいときに、第１の記録再生部により第１の記録媒体から再生されたダビング対象の所望のコンテンツの第１の符号化データのデータ量をダビング可能記録容量以下となるように変換するデータ量変換手段と、データ量変換手段により変換されたデータ量のダビング対象の所望のコンテンツの第１の符号化データを第２の記録再生部に供給して、挿入された第２の記録媒体に自動的にダビングさせる複写記録手段とを有することを特徴とする。
【００２２】
この発明では、ダビング対象の所望のコンテンツの第１の符号化データのデータ量が、第２の記録媒体のダビング可能記録容量より大きく、第２の記録媒体に収まりきらない場合であっても、ダビング対象の所望のコンテンツの第１の符号化データのデータ量をダビング可能記録容量以下となるように変換してから、挿入された第２の記録媒体に自動的にダビングする。
【００２３】
また、上記の目的を達成するため、本発明は、上記のデータ量変換手段を、第１の記録再生部により第１の記録媒体から再生されたダビング対象の所望のコンテンツの第１の符号化データを、再エンコード対象データ領域と再エンコード対象外データ領域とに分け、再エンコード対象データ領域の符号化データ部分をデコーダにより復号した後エンコーダに供給して再エンコードさせる手段とし、
上記の複写記録手段を、第１の記録再生部により第１の記録媒体から再生されたダビング対象の所望のコンテンツの第１の符号化データのうち、再エンコード対象外データ領域の符号化データ部分を第２の記録再生部に直接供給して、挿入された第２の記録媒体に記録すると共に、再エンコード済みの再エンコード対象データ領域の符号化データ部分を第２の記録再生部に供給して、挿入された第２の記録媒体に記録する手段としたことを特徴とする。
【発明の効果】
【００２４】
本発明によれば、ユーザが可搬性のある記録媒体を装置に挿入するだけで、他の記録媒体に記録されている所望のコンテンツデータを、上記の挿入された記録媒体に複写記録するダビング作業と、ダビング元の他の記録媒体の所望のコンテンツデータの削除（消去）とが自動的に行える。
【００２５】
また、本発明によれば、ダビング対象のコンテンツデータのデータ量が一枚の記録媒体の記録容量内に収まりきらない場合であっても、ユーザが可搬性のある記録媒体を装置に挿入するだけで、ダビング対象のコンテンツデータの全体または一部分を再エンコードして、コンテンツデータを高画質で短時間に自動的にダビングすることができる。
【発明を実施するための最良の形態】
【００２６】
次に、本発明の実施の形態について図面と共に詳細に説明する。
【００２７】
図１は本発明になる記録再生装置の一実施の形態のブロック図を示す。この実施の形態は、ハードディスク（以下ＨＤ）にテレビ放送番組を記録するＨＤ内蔵ＤＶＤレコーダであって、図１に示すように、テレビ放送を受信する放送受信部１００と、信号処理部１１０と、第１の記録媒体であるＨＤ１２１に情報を記録し又は記録された情報を再生する第１の記録再生部であるハードディスク装置（ＨＤＤ装置）１２０と、可搬性のある第２の記録媒体であるＤＶＤ１３１に情報を記録し又は記録された情報を再生する第２の記録再生部であるＤＶＤ装置１３０と、映像音声出力部１７０と、信号処理部１１０を放送受信部１００又は信号処理部１１０内のデコーダ１１２に切替接続する切り替え部２００と、信号処理部１１０とＨＤＤ装置１２０及びＤＶＤ装置１３０との接続を切り替える切り替え部２１０及び２２０と、切り替え部２００、２１０及び２２０を制御するシステム制御部２３０と、赤外線でシステム制御部２３０を制御する赤外線リモコン１９０とより構成される。
【００２８】
ＨＤＤ装置１２０とＤＶＤ装置１３０とは直接接続されており、一方（ＨＤ１２１又はＤＶＤ１３１）から読み出した信号をエンコーダやデコーダを通すことなく直接他方（ＤＶＤ１３１又はＨＤ１２１）に記録することができるようになっている。また、ＨＤＤ装置１２０とＤＶＤ装置１３０とは、信号処理部１１０にて処理された映像・音声信号を同時に記録再生することができる。
【００２９】
信号処理部１１０は、放送受信部１００又は信号処理部１１０内のデコーダ１１２からの映像信号及び音声信号（映像・音声信号）を所定の信号形式に符号化するエンコーダ１１１と、入力された符号化信号を復号して復号映像・音声信号を出力するデコーダ１１２とからなる。また、システム制御部２３０は、装置全体を制御するための中央処理装置（ＣＰＵ）１５０と、予約情報１４１を記憶保持する不揮発性メモリ１４０と、予約実行のためのタイマ１６０と、外部の赤外線リモコン１９０からの赤外線送信信号を受光する赤外線リモコン受光部１８０とが接続された構成である。ＨＤＤ装置１２０とＤＶＤ装置１３０とは、ＣＰＵ１５０により制御される。
【００３０】
この実施の形態では、記録時には放送受信部１００で選局受信された任意のチャンネルの放送波の所望のコンテンツの映像・音声信号が切り替え部２００を経由してエンコーダ１１１に供給され、ここで所定の符号化方式で符号化されて符号化データとされた後、切り替え部２１０を経由してＨＤＤ装置１２０に供給されてＨＤ１２１に記録されるか、又は切り替え部２１０を経由してＤＶＤ装置１３０に供給されてＤＶＤ１３１に記録される。
【００３１】
また、再生時にはＨＤ１２１又はＤＶＤ１３１に記録された任意のコンテンツの符号化データ（コンテンツデータ）が読み出されて、切り替え部２２０を経由してデコーダ１１２に供給され、ここで復号されて復号映像・音声信号とされた後、映像音声出力部１７０へ出力される。
【００３２】
また、ダビング時は、上記のデコーダ１１２から出力された復号映像・音声信号が切り替え部２００を経由してエンコーダ１１１に供給されて再エンコードされた後、切り替え部２１０を経由してＨＤ１２１又はＤＶＤ１３１にダビング（複写記録）されることもできる。また、ＨＤ１２１又はＤＶＤ１３１から読み出したコンテンツデータを、エンコーダ１１１やデコーダ１１２を通すことなく直接ＤＶＤ１３１又はＨＤ１２１にダビングすることもできる。
【００３３】
更に、この実施の形態では、定期的に複数回に亘って放送される同一タイトルの連続番組のコンテンツデータを定期的に予約録画する予約情報１４１が不揮発性メモリ１４０に記憶されている場合には、連続番組のコンテンツデータをＨＤ１２１に連続記録し、また、ＤＶＤ装置１３０に挿入されたＤＶＤ１３１に同一タイトルの過去の連続番組のコンテンツデータが記録されていた場合には、ＨＤ１２１に記録されているその連続番組の続きからＤＶＤ１３１をフォーマットした後、再エンコードなしにダビングすることができる。
【実施例１】
【００３４】
次に、本発明になる記録再生装置の実施例１について図２のフローチャートと図３の表示例とを用いて説明する。ここではＤＶＤ装置１３０はＤＶＤ１３１の一例としてＤＶＤ−ＲＷディスクの記録再生を行う構成であるものとし、また、定期的に複数回に亘って放送される同一タイトルの連続番組である連続したドラマを一話からＤＶＤ１３１の記録容量範囲内でできるだけ多くダビングを行い、その後ユーザが視聴を終えて再び記録済みのＤＶＤ１３１を装置に挿入すると続きが自動的にダビングされる実行例について説明する。なお、定期的に複数回に亘って放送される同一タイトルの連続番組のコンテンツデータが放送受信部１００により受信され、切り替え部２００を通してエンコーダ１１１で符号化されて符号化データとされた後、切り替え部２００を通してＨＤＤ装置１２０によりＨＤ１２１に記録されているものとする。ここで、放送受信部１００、切り替え部２００、エンコーダ１１１、切り替え部２１０及びＨＤＤ装置１２０は、請求項１の記録手段を構成している。また、連続番組のコンテンツの記録を予約する予約情報１４１が請求項１の記憶手段を構成する不揮発性メモリ１４０に記憶されている。
【００３５】
まず、ＤＶＤ装置１３０にＤＶＤ１３１（ここでは、一例としてＤＶＤ−ＲＷディスク）を挿入する（ステップＳ４０１）。一方、ＨＤ１２１に記録されたコンテンツの一覧画面の信号が周知の方法で作成されており、そのコンテンツの一覧画面の信号がＣＰＵ１５０からのアクセスにより読み出され、切り替え部２２０、デコーダ１１２を介して映像音声出力部１７０から出力されて図示しない表示部に表示される。図３はこのコンテンツ一覧画面の一例を示す。
【００３６】
ユーザは表示部に表示されている上記のコンテンツ一覧画面を見ながら、赤外線リモコン１９０を操作して、図３中に３０１で示す「ドラマ１話」を選択してダビングの条件３０２を「同タイトル連続ダビング」に設定したものとする（ステップＳ４０２）。赤外線リモコン１９０から上記の選択コンテンツ及びダビング条件を指定するコードのリモコン信号が赤外線でシステム制御部２３０へ送信されると、赤外線リモコン受信部１８０が上記のリモコン信号を受光し、電気信号に変換する。この電気信号であるリモコン信号はＣＰＵ１５０により解析されて、設定した条件を示す予約情報１４１が不揮発性メモリ１４０に記憶される。
【００３７】
続いて、ＤＶＤ装置１３０は挿入されたディスクがＤＶＤ−ＲＷディスクであり、かつ、既に記録済みであるという条件を満たしているかどうかを判定し（ステップＳ４０３）、条件を満たしている場合には挿入されたＤＶＤ１３１をフォーマットする（ステップＳ４０４）。フォーマット完了後、ＣＰＵ１５０は不揮発性メモリ１４０に記憶されている予約情報１４１に基づきＨＤＤ装置１２０を制御して、「ドラマ１話」と「ドラマ２話」の符号化映像・音声信号をＨＤ１２１から読み出し、直接ＤＶＤ装置１３０に供給することで、ＤＶＤ装置１３０により再エンコードなしにＤＶＤ（ＤＶＤ−ＲＷディスク）１３１に自動的にダビングさせる（ステップＳ４０５）。ＤＶＤ装置１３０は、ダビング終了後は自動的にＤＶＤ（ＤＶＤ−ＲＷディスク）１３１をファイナライズする（ステップＳ４０６）。
【００３８】
その後、ユーザは「ドラマ１話〜２話」が記録されたＤＶＤ（ＤＶＤ−ＲＷディスク）１３１の視聴を行う。ユーザにより視聴を終えたＤＶＤ（ＤＶＤ−ＲＷディスク）１３１は、次のダビング用のディスクとなり、ユーザは次のダビングを実行しようとして（ステップＳ４０７）、「ドラマ１話〜２話」が記録されたＤＶＤ（ＤＶＤ−ＲＷディスク）１３１を再びＤＶＤ装置１３０に挿入する（ステップＳ４０８）。すると、ＤＶＤ装置１３０は挿入されたＤＶＤ（ＤＶＤ−ＲＷディスク）１３１の記録信号の再生を開始し、その再生信号をＣＰＵ１５０に供給する。ＣＰＵ１５０は供給されたＤＶＤ（ＤＶＤ−ＲＷディスク）１３１に記録されているタイトルなどの内容と、不揮発性メモリ１４０に記憶してある連続番組（ここでは、ドラマ）のダビングを設定した予約情報１４１とを照らし合わせ、次にダビングする予定の順番のドラマ（コンテンツ）を決定する（ステップＳ４０９）。ここでは、「ドラマ１話」と「ドラマ２話」とが既にＤＶＤ１３１にダビング済みであるので、次の「ドラマ３話」と「ドラマ４話」とが決定される。ここで、ステップＳ４０９を実行するＤＶＤ装置１３０とＣＰＵ１５０とは、請求項１の記録コンテンツ記録決定手段を構成している。
【００３９】
続いて、ＣＰＵ１５０はＤＶＤ装置１３０を制御して、ＤＶＤ（ＤＶＤ−ＲＷディスク）１３１のフォーマットを行わせた後（ステップＳ４１０）、上述した次にダビングする予定の「ドラマ３話」と「ドラマ４話」のダビングを行う（ステップＳ４１１）。このダビングはステップＳ４０５と同様に、「ドラマ３話」と「ドラマ４話」の符号化映像・音声信号がＨＤ１２１から読み出され、直接ＤＶＤ装置１３０に供給され、ここで再エンコードなしにＤＶＤ（ＤＶＤ−ＲＷディスク）１３１に自動的にダビングされる。ダビング終了後は、ＤＶＤ（ＤＶＤ−ＲＷディスク）１３１がファイナライズされ（ステップＳ４１２）、いつでも取り出せる状態になる（ステップＳ４１３）。
【００４０】
ステップＳ４１３以降はステップＳ４０７〜ステップＳ４０８が繰り返される。このときユーザに必要とされる動作は、ステップＳ４０８のＤＶＤ−ＲＷディスクの取り出しと挿入のみであり、ステップＳ４０３以降、ユーザはダビングをするために映像音声出力部１７０から出力された映像を見る必要はない。
【００４１】
このように、本実施例によれば、ＤＶＤ装置１３０にＤＶＤ（ＤＶＤ−ＲＷディスク）１３１を挿入した時に、そのＤＶＤ（ＤＶＤ−ＲＷディスク）１３１を再生して予約情報１４１が示す連続番組のコンテンツが記録されているかどうかをＣＰＵ１５０により判定し、連続番組のコンテンツが記録されているときは、その記録連続番組の次の順番以降の連続番組のコンテンツを決定し、決定したコンテンツの第１の符号化データ、又は記録するコンテンツを決定できないときは、所望のコンテンツの第１の符号化データをＨＤ１２１からＨＤＤ装置１２０により再生させる。
【００４２】
そして、本実施例は、その再生された第１の符号化データを直接ＤＶＤ装置１３０に供給して、挿入されたＤＶＤ（ＤＶＤ−ＲＷディスク）１３１をフォーマットした後自動的にダビングさせる、ＣＰＵ１５０とＤＶＤ装置１３０とによりステップＳ４０４〜Ｓ４０６、Ｓ４１０〜４１２を実行する複写記録手段を備えることで、ユーザが書き換え可能なＤＶＤ−ＲＷディスク１３１をＤＶＤ装置１３０に挿入するだけで、ＤＶＤ−ＲＷディスク１３１に記録されているコンテンツの消去がフォーマットにて行われた後、意図したコンテンツに再エンコードなしに書き換わるダビング作業を自動的に行うことができる。また、見終わって再びＤＶＤ−ＲＷディスク１３１をＤＶＤ装置１３０に挿入すると、連続番組の続きが自動的に再エンコードなしに書き換わるダビングを実行することができる。
【実施例２】
【００４３】
次に、本発明の実施例２について図１のブロック図、図３の表示例、図４のフローチャート、図５の表示例を用いて説明する。ここでは、連続したドラマを一話から複数枚のＤＶＤ−ＲＷディスク、またはＤＶＤ−Ｒディスクにダビングを行い、見終わってディスクを排出後、再びディスクを挿入するとＤＶＤ−ＲＷディスクの場合は続きが自動的にダビングされ、ＤＶＤ−Ｒディスクの場合は簡単な操作をすることによって続きをダビングできる実行例について説明する。なお、ＨＤ１２１には既にダビングするコンテンツが記録済みであるものとする。
【００４４】
まず、ＤＶＤ装置１３０にＤＶＤ１３１（ここでは、一例としてＤＶＤ−ＲＷディスク又はＤＶＤ−Ｒディスク）を挿入する（ステップＳ５０１）。一方、ＨＤ１２１に記録されたコンテンツの一覧画面の信号が周知の方法で作成されており、そのコンテンツの一覧画面の信号がＣＰＵ１５０の制御の下に読み出されて、切り替え部２２０、デコーダ１１２を介して映像音声出力部１７０から出力されて図示しない表示部に表示される。図３はこのコンテンツ一覧画面の一例を示す。
【００４５】
ユーザは表示部に表示されている上記のコンテンツ一覧画面を見ながら、赤外線リモコン１９０を操作して、図３中に３０１で示す「ドラマ１話」を選択してダビングの条件３０２を「同タイトル連続ダビング」に設定したものとする（ステップＳ５０２）。図１の赤外線リモコン１９０から上記の選択コンテンツ及びダビング条件を指定するコードのリモコン信号が赤外線でシステム制御部２３０へ送信されると、赤外線リモコン受信部１８０が上記のリモコン信号を受光し、電気信号に変換する。この電気信号であるリモコン信号はＣＰＵ１５０により解析されて、設定した条件を示す予約情報１４１が不揮発性メモリ１４０に記憶される。
【００４６】
ＤＶＤ装置１３０は挿入されたＤＶＤ１３１がＤＶＤ−ＲＷディスクであり、かつ、既に記録済みであるという条件を満足するかどうかを判定し、（ステップＳ５０３）、その条件を満足する場合には、ＤＶＤ−ＲＷディスクをフォーマットする（ステップＳ５０４）。その後ＨＤ１２１に記録されている２つのコンテンツ「ドラマ１話」と「ドラマ２話」とがＣＰＵ１５０の制御の下に読み出されて直接ＤＶＤ装置１３０に供給され、ＤＶＤ装置１３０に挿入されているＤＶＤ（この場合、ＤＶＤ−Ｒディスク）１３１に自動的に再エンコードなしにダビングされる（ステップＳ５０５）。ダビング終了後は自動的にそのＤＶＤ（この場合、ＤＶＤ−Ｒディスク）１３１がファイナライズされる（ステップＳ５０６）。
【００４７】
なお、ステップＳ５０３で上記の条件を満足しないと判定した場合（すなわち、挿入されたＤＶＤ１３１が未記録のＤＶＤ−ＲＷディスクである場合、あるいは未記録か否かを問わずＤＶＤ−Ｒディスクである場合）、ステップＳ５０５に進み、２つのコンテンツ「ドラマ１話」と「ドラマ２話」とがＣＰＵ１５０の制御の下に読み出されて直接ＤＶＤ装置１３０に供給され、ＤＶＤ装置１３０に挿入されているＤＶＤ１３１に自動的に再エンコードなしにダビングされ、ステップＳ５０６でファイナライズされる。
【００４８】
ステップＳ５０６のファイナライズ終了後、更に新たなディスクを追加してダビングを続けるかどうかを判定し（ステップＳ５０７）、ダビングを続ける場合はステップＳ５０１に戻り、新たなＤＶＤ１３１（ここでは、ＤＶＤ−ＲＷディスク又はＤＶＤ−Ｒディスク）を挿入する。
【００４９】
一方、表示部にはコンテンツの一覧画面の信号がデコーダ１１２を介して映像音声出力部１７０から出力されて図示しない表示部に表示される。図５はこのコンテンツ一覧画面の一例を示す。図５中の４０１で示すように、このコンテンツの一覧の画面は、既に同タイトルの連続ダビングが実行されていること、コンテンツのタイトルの一覧、及びダビングを実行するか否かの選択をユーザに促すメッセージ４０２などからなる。ステップＳ５０２で続きのダビングを選択した場合は、ステップＳ５０３〜Ｓ５０７の処理が再び繰り返される。
【００５０】
その後、ユーザはダビングしたディスクの視聴を終えてダビングしたディスクを装置から排出した後、次のダビングを実行しようとした場合（ステップＳ５０８）、ダビング用のＤＶＤ（ここでは、ＤＶＤ−ＲＷディスク、またはＤＶＤ−Ｒディスク）１３１がＤＶＤ装置１３０に挿入される（ステップＳ５０９）。すると、ＤＶＤ装置１３０は挿入されたＤＶＤ１３１が新規のＤＶＤ−Ｒディスクかどうかを判定し（ステップＳ５１０）、新規ＤＶＤ−Ｒディスクの場合にはステップＳ５０２に戻って作業を続ける。
【００５１】
一方、挿入されたＤＶＤ１３１が新規ＤＶＤ−ＲディスクではないとステップＳ５１０で判定された場合、ＣＰＵ１５０が挿入されたＤＶＤ１３１が前回使用したＤＶＤ−ＲＷディスクであるかどうか、挿入されたＤＶＤ１３１に記録されたタイトルなどの内容と、不揮発性メモリ１４０に記憶してある連続番組のダビング（連続ダビング）を設定した予約情報１４１とを照らし合わせて判定する（ステップＳ５１１）。挿入されたＤＶＤ１３１が連続ダビングに関連のないＤＶＤ−ＲＷディスクであるとステップＳ５１１で判定された場合には、ステップＳ５０２に戻って作業を続ける。
【００５２】
他方、挿入されたＤＶＤ１３１が前回使用したＤＶＤ−ＲＷディスクであるとステップＳ５１１で判定された場合には、次にダビングする予定のコンテンツが決定され、挿入された前回使用したＤＶＤ−ＲＷディスクのフォーマットが行われた後（ステップＳ５１３）、新たな未ダビングのコンテンツがダビングされる（ステップＳ５１４）。ダビング終了後はダビングされたＤＶＤ−ＲＷディスクのファイナライズが行われ（ステップＳ５１５）、いつでも取り出せる状態になる（ステップＳ５１６）。その後、作業を繰り返す場合はステップＳ５０８に戻る。
【００５３】
このように、本実施例によれば、実施例１と同様に、連続したドラマを一話から複数枚のＤＶＤ−ＲＷディスク、またはＤＶＤ−Ｒディスクにダビングし、見終わって再びディスクを挿入するとＤＶＤ−ＲＷディスクの場合は続きが自動的にダビングされ、更に本実施例によれば、ＤＶＤ−Ｒディスクの場合は簡単な操作をすることによって、未ダビングのコンテンツである続きをダビングすることができる。
【実施例３】
【００５４】
次に、本発明の実施例３について図１のブロック図、図３の表示例、図６のフローチャート、図７の表示例を用いて説明する。ここでは、連続したドラマを一話からＤＶＤ１３１の記録容量範囲内でできるだけ多くダビングを行い、ユーザが視聴を終えてディスクを排出した後再びディスクを挿入すると続きが自動的にダビングされる一連の動作において、ダビング時にダビング元のデータを削除、または次回書き換え時にダビング元のデータの削除を行う実行例について説明する。なお、ＨＤ１２１には既にダビングするコンテンツが記録済みであるものとする。
【００５５】
まず、ＤＶＤ装置１３０にＤＶＤ１３１（ここでは、ＤＶＤ−ＲＷディスク）を挿入する（ステップＳ６０１）。一方、前述したように、図示しない表示部に図３のコンテンツ一覧画面が表示される。ユーザは表示部に表示されている上記のコンテンツ一覧画面を見ながら、赤外線リモコン１９０を操作して、図３中に３０１で示す「ドラマ１話」を選択してダビングの条件３０２を「同タイトル連続ダビング」に設定したものとする（ステップＳ６０２）。ダビング条件を設定すると、コンテンツ一覧画面は図７に５０１で示すように、「ダビング時に元データを削除」もしくは「次回ダビング時に元データを削除」などの削除設定メッセージ５０２が表示された画面に切り替わり、ダビング削除設定が可能となる。
【００５６】
続いて、図１の赤外線リモコン１９０から上記の選択コンテンツ及びダビング条件を指定するコードのリモコン信号が赤外線でシステム制御部２３０へ送信され、赤外線リモコン受信部１８０が上記のリモコン信号を受光し、電気信号に変換する。この電気信号であるリモコン信号はＣＰＵ１５０により解析されて、設定した条件を示す予約情報１４１が不揮発性メモリ１４０に記憶される。
【００５７】
続いて、ＤＶＤ装置１３０は挿入されたＤＶＤ１３１がＤＶＤ−ＲＷディスクであり、かつ、既に記録済みであるという条件を満たしているかどうかを判定し（ステップＳ６０３）、条件を満たしている場合には挿入されたＤＶＤ１３１をフォーマットする（ステップＳ６０４）。フォーマット完了後、ＣＰＵ１５０は不揮発性メモリ１４０に記憶されている予約情報１４１に基づきＨＤＤ装置１２０を制御して、「ドラマ１話」と「ドラマ２話」の符号化映像・音声信号をＨＤ１２１から読み出して直接ＤＶＤ装置１３０に供給し、ここで再エンコードなしにＤＶＤ（ＤＶＤ−ＲＷディスク）１３１に自動的にダビングさせる（ステップＳ６０５）。ダビング終了後は自動的にＤＶＤ（ＤＶＤ−ＲＷディスク）１３１をファイナライズする（ステップＳ６０６）。
【００５８】
続いて、ＣＰＵ１５０はダビング時に元データ削除の設定がされているかどうかを判定し（ステップＳ６０７）、元データ削除の設定がされている場合は、ＨＤ１２１内のダビング元のデータ（ここでは「ドラマ１話」と「ドラマ２話」）を削除する（ステップＳ６０８）。
【００５９】
その後、ユーザはディスクの視聴を終えて一旦ディスクを装置から排出した後、次のダビングを実行しようとして（ステップＳ６０９）、ＤＶＤ（ＤＶＤ−ＲＷディスク）１３１をＤＶＤ装置１３０に挿入する（ステップＳ６１０）。すると、ＤＶＤ装置１３０は挿入されたＤＶＤ（ＤＶＤ−ＲＷディスク）１３１の記録信号の再生を開始し、その再生信号をＣＰＵ１５０に供給する。
【００６０】
ＣＰＵ１５０はＤＶＤ（ＤＶＤ−ＲＷディスク）１３１に記録されているタイトルなどの内容と、不揮発性メモリ１４０に記憶してある連続番組（ここでは、ドラマ）のダビングを設定した予約情報１４１とを照らし合わせ、次にダビングする予定の順番のドラマ（コンテンツ）を決定する（ステップＳ６１１）。ここでは、「ドラマ１話」と「ドラマ２話」とが既にＤＶＤ１３１にダビング済みであるので、次の「ドラマ３話」と「ドラマ４話」とが決定される。続いて、ＣＰＵ１５０はＤＶＤ装置１３０を制御して、ＤＶＤ（ＤＶＤ−ＲＷディスク）１３１のフォーマットを行わせる（ステップＳ６１２）。
【００６１】
続いて、ＣＰＵ１５０は、次回ダビング時に元データを削除する設定がなされているかどうかを判定し（ステップＳ６１３）、設定されていれば、ＨＤＤ装置１２０を制御してＨＤ１２１に記録されている前回のダビング時の元データ（すなわち、ステップＳ６０５でＤＶＤ１３１に記録したドラマ１話〜２話）を削除する（ステップＳ６１４）。その後、「ドラマ３話」と「ドラマ４話」のダビングを行い（ステップＳ６１５）、ダビング終了後は自動的にＤＶＤ１３１をファイナライズする（ステップＳ６１６）。
【００６２】
続いて、ＣＰＵ１５０はダビング時に元データ削除の設定がされているかどうかを判定し（ステップＳ６０７）、元データ削除の設定がされている場合は、今回ダビングしたＨＤ１２１内の元データ（すなわち、ステップＳ６１５でＤＶＤ１３１に記録したドラマ３話〜４話）が削除され（ステップＳ６１８）、いつでも取り出せる状態（ステップＳ６１９）になる。以降はステップＳ６０９〜ステップＳ６１９が繰り返される。このときユーザに必要とされる動作は、ＤＶＤ−ＲＷディスクの排出とステップＳ６１０のＤＶＤ−ＲＷディスクの挿入のみであり、またステップＳ６０３以降、ユーザは映像音声出力部１７０から出力された映像を見る必要はない。
【００６３】
このように、本実施例によれば、実施例１と同様にユーザが書き換え可能なＤＶＤ−ＲＷディスク１３１をＤＶＤ装置１３０に挿入するだけで、意図したコンテンツに再エンコードなしに書き換わるダビング作業を自動的に行うことができ、更に、本実施例によれば、ステップＳ６０７、Ｓ６０８、Ｓ６１３、Ｓ６１４、Ｓ６１７、Ｓ６１８を実行するＣＰＵ１５０とＨＤＤ装置１２０とによる削除手段により、ＤＶＤ−ＲＷディスク１３１への第１の符号化データのダビングが行われた直後又は次回のダビング直前に、ＨＤ１２１に記録されているダビング元の第１の符号化データを、ＨＤ１２１から削除するようにしたため、ＨＤ１２１の空き容量を確保することができる。
【実施例４】
【００６４】
次に、本発明の実施例４について図１のブロック図、図８のフローチャート、図９の表示例を用いて説明する。ここでは、ＨＤ１２１に記録したジャンルが映画で未再生のコンテンツをＤＶＤ−ＲＷディスクにダビングし、ユーザが視聴を終えてディスクを装置から排出した後再びディスクを装置に挿入すると、次に記録された映画が自動的にダビングされる実行例について説明する。なお、ＨＤ１２１には既にダビングするコンテンツが記録済みであるものとし、最初にダビングするコンテンツはそのままダビングできるが、次回行うダビングは再エンコードを必要とする場合を想定している。
【００６５】
まず、ＤＶＤ装置１３０にＤＶＤ１３１（ここでは、ＤＶＤ−ＲＷディスク）を挿入する（ステップＳ７０１）。続いて、挿入されたＤＶＤ１３１が連続ダビング設定済みの対象ディスクかどうかを、ＤＶＤ１３１からの情報と不揮発性メモリ１４０に記憶された情報の参照を行って判断する（ステップＳ７０２）。一方、前述と同様にして、図示しない表示部に図９のコンテンツ一覧画面が表示される。
【００６６】
ステップＳ７０２で連続ダビング設定済みの対象外のディスクであると判定された場合は、ユーザは表示部に表示されている上記のコンテンツ一覧画面を見ながら、赤外線リモコン１９０を操作して、複数のコンテンツの中の任意の一つのコンテンツとダビング条件（自動連続ダビング設定、ダビング後削除設定及び再エンコード設定）とをそれぞれ設定する（ステップＳ７０３）。ここでは、複数のコンテンツの中から「映画Ａ」（図９の６０１）を選択し、かつ、ダビングの条件（図９の６０２）として自動連続ダビング設定を「過去→新規」、「同ジャンル」とし、ダビング後削除設定を「次回ダビング時」、「削除」とし、再エンコード設定を「全体再エンコード」にそれぞれ設定したものとする。
【００６７】
上記のステップＳ７０２で連続ダビング設定済みの対象ディスクであると判定された場合、又は上記のステップＳ７０３の設定が行われると、ダビングするコンテンツが決定し（ステップＳ７０４）、図１の赤外線リモコン１９０から上記の選択コンテンツ及びダビング条件を指定するコードのリモコン信号が赤外線でシステム制御部２３０へ送信され、赤外線リモコン受信部１８０が上記のリモコン信号を受光し、電気信号に変換する。この電気信号であるリモコン信号はＣＰＵ１５０により解析されて、設定した条件を示す予約情報１４１が不揮発性メモリ１４０に記憶される。
【００６８】
続いて、ＤＶＤ装置１３０は挿入されたＤＶＤ（ここでは、ＤＶＤ−ＲＷディスク）１３１が、既に記録済みであるという条件を満たしているかどうかを判定し（ステップＳ７０５）、記録済みの場合はＤＶＤ−ＲＷディスクのフォーマットを行う（ステップＳ７０６）。挿入されたＤＶＤがＤＶＤ−ＲＷディスクでない場合は、フォーマットは行わないでステップＳ７０７に進む。
【００６９】
続いて、ＣＰＵ１５０は再エンコードをするかどうかを判定する（ステップＳ７０７）。ここでは、最初にダビングするコンテンツはそのままダビングできるが、次回行うダビングは再エンコードを必要とする場合を想定しており、この時点では最初のダビングであるので、ステップＳ７０７では再エンコードをしないと判定され、ＣＰＵ１５０の制御の下にＨＤ１２１に記録されているコンテンツを読み出してＤＶＤ装置１３０に直接供給して、挿入されたＤＶＤ（ここでは、ＤＶＤ−ＲＷディスク）１３１に再エンコードなしにダビングする（ステップＳ７０９）。
【００７０】
続いて、ＣＰＵ１５０はその他のコンテンツを追加ダビングするかどうかを判定し（ステップＳ７１０）、追加ダビングする場合にはステップＳ７０７に戻る。追加ダビングしない場合は、ＤＶＤ装置１３０はＤＶＤ１３１のファイナライズを行って他の再生機で再生を行える状態にした後（ステップＳ７１１）、元データ削除設定がされているかどうかを確認する（ステップＳ７１２）。ここでは、次回ダビング実行時に削除の設定がされているので削除は行わず、ＤＶＤ１３１はいつでも取り出せる状態となり、一連の処理が終了する（ステップＳ７１４）。
【００７１】
次に、ダビングしたＤＶＤ（ここでは、ＤＶＤ−ＲＷディスク）１３１の視聴が終わり、装置から排出した後、再びダビングするために前回使用したＤＶＤ（ここでは、ＤＶＤ−ＲＷディスク）１３１をＤＶＤ装置１３０に挿入したものとする（ステップＳ７０１）。続いて、挿入されたＤＶＤ１３１が連続ダビング設定済みの対象ディスクかどうかについて不揮発性メモリ１４０に記憶された情報の参照を行って判断し（ステップＳ７０２）、対象ディスクの場合はダビングするコンテンツが自動的に決定する（ステップＳ７０４）。ここで不揮発性メモリ１４０に記憶された設定を更新する。
【００７２】
続いて、挿入されたＤＶＤ１３１が記録済みディスクかどうかを判定する（ステップＳ７０５）。上記の挿入されたＤＶＤ１３１は記録済みディスクであるので、そのディスクのフォーマットが行われる（ステップＳ７０６）。
【００７３】
続いて、再エンコードを行うかどうかが判定される（ステップＳ７０７）。前述したように、ここでは次回行うダビングは再エンコードを必要とする場合を想定しており、この時点では次回のダビングであるので、ステップＳ７０７では再エンコードをすると判定され、再エンコードを行う（ステップＳ７０８）。
【００７４】
このステップＳ７０８の再エンコード時には、ＣＰＵ１５０の制御の下にＨＤＤ装置１２０によりＨＤ１２１に記録されているコンテンツデータを読み出して、切り替え部２２０経由でデコーダ１１２に供給してデコードさせて復号映像・音声信号を出力させ、その復号映像・音声信号を切り替え部２００を経由してエンコーダ１１１に入力する。エンコーダ１１１は入力された復号映像・音声信号を再び符号化して（すなわち、再エンコードして）、符号化映像・音声信号を生成する。
【００７５】
そして、エンコーダ１１１により再エンコードされた符号化映像・音声信号は切り替え部２１０を経由してＤＶＤ装置１３０に供給され、ＤＶＤ（ここでは、ＤＶＤ−ＲＷディスク）１３１にダビングされる（ステップＳ７０９）。続いて、その他のコンテンツを追加ダビングするかどうかを判定し（ステップＳ７１０）、追加ダビングする場合にはステップＳ７０７に戻り、追加ダビングしない場合には、ファイナライズを行った後（ステップＳ７１１）、元データ削除設定がされているかどうか確認する（ステップＳ７１２）。ここでは次回ダビング実行時に削除の設定がされているため、前回ダビングしたコンテンツをＨＤ１２１から削除する（ステップＳ７１３）。そして、ＤＶＤ１３１はいつでも取り出せる状態となり、一連の処理が終了する（ステップＳ７１４）。
【００７６】
このように、本実施例では２回目以降のダビングの一連の処理の中でユーザに必要とされる動作はステップＳ７０１のＤＶＤ装置１３０へのＤＶＤ−ＲＷディスクの挿入のみであり、ユーザはコンテンツのサイズを気にせず、意図したコンテンツに再エンコードして書き換わるダビング作業とダビング元のコンテンツの削除とを自動的に行うことができる。
【実施例５】
【００７７】
次に、本発明の実施例５について図１のブロック図、図１０のフローチャート、図１１の表示例、図１２の概念図を用いて説明する。ここでは、ＨＤに記録したジャンルが映画で未再生のコンテンツをＤＶＤ−ＲＷディスクにダビングし、ユーザが視聴を終えて再びＤＶＤ−ＲＷディスクを装置に挿入すると、次に記録された映画が自動的にダビングされる例について説明する。なお、ＨＤ１２１には既にコンテンツが記録済みとし、最初にダビングするコンテンツはそのままダビングできるが、次回行うダビングは部分再エンコードを必要とする場合を想定している。
【００７８】
まず、ＤＶＤ装置１３０にＤＶＤ１３１（ここでは、ＤＶＤ−ＲＷディスク）を挿入する（ステップＳ８０１）。続いて、挿入されたＤＶＤ１３１が連続ダビング設定済みの対象ディスクかどうかを、ＤＶＤ１３１からの情報と不揮発性メモリ１４０に記憶された情報の参照を行って判断する（ステップＳ８０２）。一方、前述と同様にして、図示しない表示部に図１１のコンテンツ一覧画面が表示される。
【００７９】
ステップＳ８０２で連続ダビング設定済みの対象外のディスクであると判定された場合は、ユーザは表示部に表示されている上記のコンテンツ一覧画面を見ながら、赤外線リモコン１９０を操作して、複数のコンテンツの中の任意の一つのコンテンツとダビング条件（自動連続ダビング設定、ダビング後削除設定及び再エンコード設定）とをそれぞれ設定する（ステップＳ８０３）。ここでは、複数のコンテンツの中から「映画Ａ」（図１１の７０１）を選択し、かつ、ダビングの条件（図１１の７０２）として自動連続ダビング設定を「過去→新規」、「同ジャンル」とし、ダビング後削除設定を「次回ダビング時」、「削除」とし、再エンコード設定を「部分再エンコード」、「後」、「オーバーラップ１.０秒」にそれぞれ設定したものとする。
【００８０】
上記のステップＳ８０２で連続ダビング設定済みの対象ディスクであると判定された場合、又は上記のステップＳ８０３の設定が行われると、ダビングするコンテンツが決定し（ステップＳ７０４）、図１の赤外線リモコン１９０から上記の選択コンテンツ及びダビング条件を指定するコードのリモコン信号が赤外線でシステム制御部２３０へ送信され、赤外線リモコン受信部１８０が上記のリモコン信号を受光し、電気信号に変換する。この電気信号であるリモコン信号はＣＰＵ１５０により解析されて、設定した条件を示す予約情報１４１が不揮発性メモリ１４０に記憶される。
【００８１】
ここで、上記の再エンコード設定における「部分再エンコード」について説明する。図１２の概念図において、部分再エンコードとは、ある１つのコンテンツのサイズが８０１で模式的に示すサイズであるものとし、また、ＤＶＤ等のダビングする記録媒体の記録容量がIで模式的に示す大きさであるものとすると、そのままではコンテンツの８０２の部分が記録媒体に入りきらないので、このような場合にサイズ８０１のコンテンツデータを部分的に再エンコードして記録媒体に収まるデータ量に調整するデータ量変換のことである。
【００８２】
この部分再エンコードでは、図１２に示すように、サイズ８０１のコンテンツデータに対し、そのままダビングできる部分である再エンコード対象外領域８０４と、容量調整のため再エンコード対象となる再エンコード対象領域８０５と、それら両領域８０４及び８０５の境界をまたぐ共有部分８０６を設定する。ここで、共有部分８０６は、オーバーラップ時間を設定してタイトルをまたぐときに失われる部分を防ぐ。
【００８３】
そして、再エンコード対象領域８０５の全部と共有部分８０６とに対して再エンコードが行われて、図１２に８０８で示すサイズの再エンコード済みデータが得られる。ダビングは図１２に８０７で示す再エンコード対象外領域のデータと８０８で示す再エンコード済みデータとに対して個別に行われる結果、サイズIのＤＶＤ等の記録媒体に収めることができる。
【００８４】
再び図１０に戻って説明する。ステップＳ８０４に続いて、ＤＶＤ装置１３０に挿入したＤＶＤ（ここでは、ＤＶＤ−ＲＷディスク）１３１が記録済みディスクであるかどうかを判定し（ステップＳ８０５）、記録済みディスクである場合は、ＤＶＤ１３１のフォーマットを行う（ステップＳ８０６）。記録済みディスクでない場合は、フォーマットを行うことなくステップＳ８０７に進む。
【００８５】
続いて、再エンコードを行うかどうかを確認する（ステップＳ８０７）。前述したように、ここでは最初にダビングするコンテンツはそのままダビングできるが、次回行うダビングは部分再エンコードを必要とする場合を想定しているので、この最初にダビングする時点では、再エンコードは行わないとステップＳ８０７で判定され、ＨＤＤ装置１２０によりＨＤ１２１に記録されているコンテンツデータが読み出されて、ＤＶＤ装置１３０に直接供給され、再エンコードされることなくそのままＤＶＤ１３１にダビングされる（ステップＳ８１２）。
【００８６】
続いて、その他のコンテンツを追加ダビングするかどうかをＣＰＵ１５０が判定し（ステップＳ８１３）、追加ダビングする場合にはステップＳ８０７に戻り、追加ダビングしない場合は追加ダビング終了後にファイナライズを行って他の再生機で再生を行える状態にする（ステップＳ８１４）。
【００８７】
続いて、ＣＰＵ１５０は元データ削除設定がされているかどうかを判定する（ステップＳ８１５）。ここでは、次回ダビング実行時に削除の設定がされているので、この時点のステップＳ８１５では元データの削除は行わず、メディアはいつでも取り出せる状態となり、一連の処理を終了する（ステップＳ８１７）。
【００８８】
次に、ステップＳ８１２でダビングしたＤＶＤ−ＲＷディスクの視聴が終わり、そのディスクを装置から排出した後、再びダビングするためにＤＶＤ装置１３０に挿入したものとする（ステップＳ８０１）。このディスク挿入により、ＣＰＵ１５０は挿入されたＤＶＤ１３１（ここでは、前回使用したＤＶＤ−ＲＷディスク）が連続ダビング設定済みの対象ディスクかどうかを不揮発性メモリ１４０に記憶された情報を参照して判定し（ステップＳ８０２）、連続ダビング設定済みの対象ディスクである場合はダビングするコンテンツが自動的に決定する（ステップＳ８０４）。ここで不揮発性メモリ１４０に記憶された設定を更新する。
【００８９】
続いて、ＣＰＵ１５０は挿入されたＤＶＤ１３１（ここでは、前回使用したＤＶＤ−ＲＷディスク）が記録済みメディアかどうかを判定する（ステップＳ８０５）。ここでは、記録済みなのでＤＶＤ１３１のフォーマットを行う（ステップＳ８０６）。続いて、再エンコードを行うかどうかを判定し（ステップＳ８０７）、再エンコードの設定がされている場合は、更に部分再エンコードの設定がされているかどうかを判定し（ステップＳ８０８）、部分再エンコードの設定がされていない場合は、実施例４のような再エンコードダビングが行われ（ステップＳ８０９）、部分再エンコードの設定がされている場合は、ステップＳ８１０に進む。
【００９０】
前述したように、ここでは次回行うダビングは部分再エンコードを必要とする場合を想定しているので、ステップＳ８０８で部分再エンコード設定がされていると判定され、図１２と共に説明したように、１つのコンテンツデータをそのままダビングする再エンコード対象外領域８０４と再エンコード対象となる領域８０５及び共有部分８０６とをそれぞれ１つのコンテンツとして仮想的に扱う（実体は１つのまま）。
【００９１】
すなわち、ＨＤ１２１に記録されている、ダビング対象の所望のコンテンツの符号化データのデータ量をＨＤＤ装置１２０とＣＰＵ１５０とからなる第１の計測手段により計測すると共に、ＤＶＤ１３１のダビング可能記録容量をＤＶＤ装置１３０とＣＰＵ１５０とからなる第２の計測手段により計測してそれらを比較し、データ量がダビング可能記録容量よりも大きいときに、ＨＤＤ装置１２０によりＨＤ１２１から再生されたダビング対象の所望のコンテンツの符号化データのデータ量をダビング可能記録容量以下となるように変換するために、再エンコード対象外領域８０４と再エンコード対象となる領域８０５とに分けてダビングする。
【００９２】
そのため、最初にＨＤ１２１に記録されているダビング対象の所望の１つのコンテンツの再エンコード対象外領域（図１２の８０４）と共有部分（図１２の８０６）をＤＶＤ装置１３０へ供給して再エンコードすることなくダビングする（ステップＳ８１０）。
【００９３】
次に、再エンコード対象領域の再エンコードダビングを行う（ステップＳ８１１）。このステップＳ８１１の再エンコードダビングでは、ＨＤ１２１に記録されている１つのコンテンツの再エンコード対象領域（図１２の８０５）と共有部分（図１２の８０６）とからなるデータ部分をＨＤ１２１から読み出し、そのデータ部分を切り替え部２２０経由で接続したデコーダ１１２に供給してデコードさせて復号映像・音声信号を出力させ、その復号映像・音声信号を切り替え部２００を経由してエンコーダ１１１に入力する。エンコーダ１１１は入力された復号映像・音声信号を再び符号化して（すなわち、再エンコードして）、符号化映像・音声信号を生成する。
【００９４】
そして、エンコーダ１１１により再エンコードされた符号化映像・音声信号は切り替え部２１０を経由してＤＶＤ装置１３０に供給され、ＤＶＤ（ここでは、ＤＶＤ−ＲＷディスク）１３１にダビングされる（ステップＳ８１１）。この結果、ＤＶＤ（ここでは、ＤＶＤ−ＲＷディスク）１３１には、そのままではＤＶＤ１３１の記録容量を超えるような大きなサイズのコンテンツデータであっても、図１２に８０７で示す再エンコード対象外領域のデータと、８０８で示す再エンコード対象領域の再エンコードされたデータとが記録されることで、１枚のＤＶＤ１３１の記録領域に過不足なくダビングされることになる。
【００９５】
上記のように、図１２に８０７で示す再エンコード対象外領域のデータと、８０８で示すサイズの再エンコード済みデータとは、ＣＰＵ１５０、デコーダ１１２、エンコーダ１１１、切替部２００及び２２０からなるデータ量変換手段により変換されたデータ量のデータであり、このデータがＣＰＵ１５０とＤＶＤ装置１３０とからなる複写記録手段により１枚のＤＶＤ１３１の記録領域に過不足なくダビングされる。
【００９６】
続いて、その他のコンテンツを追加ダビングするかどうかを判定し（ステップＳ８１２）、追加ダビングする場合にはステップＳ８０７に戻り、追加ダビングしない場合には、ファイナライズを行った後（ステップＳ８１４）、元データ削除設定がされているかどうかを確認する（ステップＳ８１５）。ここでは次回ダビング実行時に削除の設定がされているため、前回ダビングしたコンテンツをＨＤ１２１から削除する（ステップＳ８１６）。そして、ＤＶＤ１３１はいつでも取り出せる状態となり、一連の処理が終了する（ステップＳ８１７）。
【００９７】
このように、本実施例では２回目以降のダビングの一連の処理の中でユーザに必要とされる動作はステップＳ８０１のＤＶＤ装置１３０へのＤＶＤ−ＲＷディスクの挿入のみであり、ユーザはコンテンツのサイズを気にせず、意図したコンテンツに書き換わるダビング作業とダビング元のコンテンツの削除とを自動的に行うことができると共に、一枚のＤＶＤに収まりきらないコンテンツデータはコンテンツデータの全体又は部分的に再エンコードしてダビングすることができる。
【００９８】
また、部分再エンコードのダビングを行った場合は、再エンコードの符号化データ部分が一部分であり、残りは再エンコードされることなくダビングされるので、ダビングしたコンテンツデータを再生した場合、従来に比べて再生画像が高画質であり、また、ダビングを従来に比べて短時間で行うことができる。
【００９９】
なお、本発明では使用する記録媒体はＤＶＤ−ＲＷやＤＶＤ−Ｒディスクに限定されるものではなく、ＢＤ−ＲＥなどの他のディスクメディアや、半導体メモリなど様々な形式の記録媒体にも対応することができる。また、以上の実施の形態及び実施例では、ＨＤ１２１には放送受信部１００で選局受信した任意のチャンネルのコンテンツデータが記録されているものとして説明したが、本発明はこれに限定されるものではなく、例えばネットワークを介して配信されたコンテンツデータを受信して記録し、再生する装置にも適用可能である。
【図面の簡単な説明】
【０１００】
【図１】本発明の記録再生装置の一実施の形態のブロック図である。
【図２】本発明装置の実施例１の動作説明用フローチャートである。
【図３】本発明装置における記録済みのコンテンツ一覧表示例である。
【図４】本発明装置の実施例２の動作説明用フローチャートである。
【図５】本発明装置の実施例２における記録済みのコンテンツ一覧表示例である。
【図６】本発明装置の実施例３の動作説明用フローチャートである。
【図７】本発明装置の実施例３における記録済みのコンテンツ一覧表示例である。
【図８】本発明装置の実施例４の動作説明用フローチャートである。
【図９】本発明装置の実施例４における記録済みのコンテンツ一覧表示例である。
【図１０】本発明装置の実施例５の動作説明用フローチャートである。
【図１１】本発明装置の実施例５における記録済みのコンテンツ一覧表示例である。
【図１２】本発明装置の実施例５における部分再エンコードの概念説明図である。
【図１３】従来のダビング時のユーザ操作のフローチャートである。
【図１４】従来の記録済みＤＶＤ−ＲＷディスクへのダビング時の動作説明用フローチャートである。
【符号の説明】
【０１０１】
１００  放送受信部
１１０  信号処理部
１１１  エンコーダ
１１２  デコーダ
１２０  ＨＤＤ装置
１２１  ＨＤ（ハードディスク）
１３０  ＤＶＤ装置
１３１  ＤＶＤ
１４０  不揮発性メモリ
１５０  中央処理装置（ＣＰＵ）
１６０  タイマ
１７０  映像音声出力部
１８０  赤外線リモコン受光部
１９０  赤外線リモコン
２００、２１０、２２０  切り替え部
２３０  システム制御部
【図１】
2009060399.tif 000003
【図２】
2009060399.tif 000004
【図３】
2009060399.tif 000005
【図４】
2009060399.tif 000006
【図５】
2009060399.tif 000007
【図６】
2009060399.tif 000008
【図７】
2009060399.tif 000009
【図８】
2009060399.tif 000010
【図９】
2009060399.tif 000011
【図１０】
2009060399.tif 000012
【図１１】
2009060399.tif 000013
【図１２】
2009060399.tif 000014
【図１３】
2009060399.tif 000015
【図１４】
2009060399.tif 000016